(57)【要約】【課題】入浴開始時における入浴者の不快感を防止または低減することができるシャワー装置を提供する。【解決手段】シャワー装置は、シャワーノズルＮ１と、ミストノズルＮ２と、水平配管Ｐ１と、シャワーノズルＮ１と水平配管Ｐ１の連通／非連通を切り替える第１開閉バルブＶ１と、ミストノズルＮ２と水平配管Ｐ１の連通／非連通を切り替える第２開閉バルブＶ２と、マイクロコンピュータ１０とを備える。マイクロコンピュータ１０は、運転開始時にシャワーノズルＮ１と水平配管Ｐ１が非連通であり且つミストノズルＮ２と水平配管Ｐ１が連通であり、その後シャワーノズルＮ１と水平配管Ｐ１が連通であり且つミストノズルＮ２と水平配管Ｐ１が非連通であるように、第１，２開閉バルブＶ１，Ｖ２を制御する。【選択図】図３
2015205009.tif 000002
【特許請求の範囲】
【請求項１】
液体を液滴状又は細線状に噴射するシャワーノズルと、
液体を霧状に噴射するミストノズルと、
前記シャワーノズル及び前記ミストノズルに液体を供給するための配管と、
前記シャワーノズルと前記配管の連通／非連通を切り替える第１切替部と、
前記ミストノズルと前記配管の連通／非連通を切り替える第２切替部と、
第１切替部及び第２切替部を制御する制御部とを備え、
前記制御部は、運転開始時に前記シャワーノズルと前記配管が非連通であり且つ前記ミストノズルと前記配管が連通であり、その後前記シャワーノズルと前記配管が連通であり且つ前記ミストノズルと前記配管が非連通であるように、第１切替部及び第２切替部を制御することを特徴とするシャワー装置。
【請求項２】
計時部を備え、
運転開始時から所定の時間が経過する迄は、前記シャワーノズルと前記配管が非連通であり且つ前記ミストノズルと前記配管が連通であることを特徴とする請求項１に記載のシャワー装置。
【請求項３】
前回の運転終了時から運転開始迄に一定時間が経過していなければ、運転開始時から所定の時間が経過する迄であるにもかかわらず、前記シャワーノズルと前記配管が連通であり且つ前記ミストノズルと前記配管が非連通であることを特徴とする請求項２に記載のシャワー装置。
【請求項４】
温度センサを備え、
運転開始時から前記温度センサによる検知温度が所定の温度に達する迄は、前記シャワーノズルと前記配管が非連通であり且つ前記ミストノズルと前記配管が連通であることを特徴とする請求項１に記載のシャワー装置。
【請求項５】
運転開始時にすでに前記温度センサによる検知温度が前記所定の温度に達していれば、運転開始時から、前記シャワーノズルと前記配管が連通であり且つ前記ミストノズルと前記配管が非連通であることを特徴とする請求項４に記載のシャワー装置。
【発明の詳細な説明】
【技術分野】
【０００１】
本発明は、シャワー装置に関する。
【背景技術】
【０００２】
被介護者や病人などがストレッチャーに横臥してシャワー入浴を行うシャワー入浴装置が従来から種々提案されている。
【０００３】
被介護者や病人などがストレッチャーに横臥してシャワー入浴を行うシャワー入浴装置は、通常、図９に示すようなシャワーノズル１０１と、シャワーノズル１０１に湯を供給するための水平配管１０２及び立ち上がり配管１０３とを備えている。そして、立ち上がり配管１０３と給湯配管１０４及びドレイン配管１０５との間に切替部１０６が設けられている。
【０００４】
使用開始直前に、切替部１０６により、立ち上がり配管１０３とドレイン配管１０５とを連通状態とし、立ち上がり配管１０３と給湯配管１０４とを非連通状態とする。これにより、立ち上がり配管１０３に残って冷たくなっている水を排出することができる。そして、使用開始時に、切替部１０６により、立ち上がり配管１０３とドレイン配管１０５とを非連通状態とし、立ち上がり配管１０３と給湯配管１０４とを連通状態とする。これにより、立ち上がり配管１０３に給湯配管１０４から湯が供給される。
【先行技術文献】
【特許文献】
【０００５】
【特許文献１】特開２０１２−１８７３４３号公報
【発明の概要】
【発明が解決しようとする課題】
【０００６】
しかしながら、立ち上がり配管１０３とドレイン配管１０５とを連通状態とするだけでは、シャワーノズル１０１や水平配管１０２に残って冷たくなっている水を排出することができない。したがって、入浴開始時にシャワーノズル１０１から冷たい水が出て、入浴者に不快感を与えるおそれがある。
【０００７】
このような入浴開始時における入浴者の不快感は、入浴開始直前にシャワーノズル１０１から冷たい水を出し切ってから入浴を開始することで防止することができるが、この防止方法は入浴準備の手順に依存するものであり、入浴準備の手順を誤ると入浴者に不快感を与えてしまうことになる。
【０００８】
なお、特許文献１には、排出口に向かって下がる方向に側方配管と上方配管を傾斜させる構造が開示されているが、側方配管と上方配管の傾斜具合はシャワー入浴装置の全体形状などによって制限されてしまうという問題がある。
【０００９】
本発明は、入浴開始時における入浴者の不快感を防止または低減することができるシャワー装置を提供することを目的とする。
【課題を解決するための手段】
【００１０】
上記目的を達成するために、本発明に係るシャワー装置は、液体を液滴状又は細線状に噴射するシャワーノズルと、液体を霧状に噴射するミストノズルと、前記シャワーノズル及び前記ミストノズルに液体を供給するための配管と、前記シャワーノズルと前記配管の連通／非連通を切り替える第１切替部と、前記ミストノズルと前記配管の連通／非連通を切り替える第２切替部と、第１切替部及び第２切替部を制御する制御部とを備え、前記制御部は、運転開始時に前記シャワーノズルと前記配管が非連通であり且つ前記ミストノズルと前記配管が連通であり、その後前記シャワーノズルと前記配管が連通であり且つ前記ミストノズルと前記配管が非連通であるように、第１切替部及び第２切替部を制御する構成（第１の構成）とする。
【００１１】
このような構成によると、運転開始時にはミスト浴から始まるので、入浴者が冷水シャワーを浴びるおそれがなくなる。ミスト浴ではミストの温度が低くても入浴者が受ける冷感はさほど強くない。したがって、入浴者の不快感を防止または低減することができる。
【００１２】
また、上記第１の構成のシャワー装置において、計時部を備え、運転開始時から所定の時間が経過する迄は、前記シャワーノズルと前記配管が非連通であり且つ前記ミストノズルと前記配管が連通である構成（第２の構成）としてもよい。
【００１３】
このような構成によると、配管の長さや形状などに応じて所定の時間を適切設定することで、配管に残って冷たくなっているおそれがある液体のほぼ全てをミストの形態で噴射することができる。したがって、入浴者の不快感をより確実に防止または低減することができる。
【００１４】
また、上記第２の構成のシャワー装置において、前回の運転終了時から運転開始迄に一定時間が経過していなければ、運転開始時から所定の時間が経過する迄であるにもかかわらず、前記シャワーノズルと前記配管が連通であり且つ前記ミストノズルと前記配管が非連通である構成（第３の構成）としてもよい。
【００１５】
このような構成によると、配管に残っている液体が冷たくなっていない場合は、運転開始時のミスト浴を省略することができ、直ちにシャワー浴を開始することができる。
【００１６】
また、上記第１の構成のシャワー装置において、温度センサを備え、運転開始時から前記温度センサによる検知温度が所定の温度に達する迄は、前記シャワーノズルと前記配管が非連通であり且つ前記ミストノズルと前記配管が連通である構成（第４の構成）としてもよい。
【００１７】
このような構成によると、配管に残っている所定の温度未満の液体をミストの形態で噴射することができる。したがって、入浴者の不快感をより確実に防止または低減することができる。
【００１８】
また、上記第４の構成のシャワー装置において、運転開始時にすでに前記温度センサによる検知温度が前記所定の温度に達していれば、運転開始時から、前記シャワーノズルと前記配管が連通であり且つ前記ミストノズルと前記配管が非連通である構成（第５の構成）としてもよい。
【００１９】
このような構成によると、配管に残っている液体が冷たくなっていない場合は、運転開始時のミスト浴を省略することができ、直ちにシャワー浴を開始することができる。
【発明の効果】
【００２０】
本発明に係るシャワー装置によれば、運転開始時にはミスト浴から始まるので、入浴者が冷水シャワーを浴びるおそれがなくなる。ミスト浴ではミストの温度が低くても入浴者が受ける冷感はさほど強くない。したがって、入浴者の不快感を防止または低減することができる。
【図面の簡単な説明】
【００２１】
【図１】本発明の第１実施形態に係るシャワー入浴装置の斜視図である。
【図２Ａ】本実施形態に係るシャワー入浴装置の上面図である。
【図２Ｂ】本実施形態に係るシャワー入浴装置の側面図である。
【図２Ｃ】本実施形態に係るシャワー入浴装置の正面図である。
【図３】本発明の第１実施形態に係るシャワー入浴装置の要部構成を示す図である。
【図４】本発明の第１実施形態に係るシャワー入浴装置の概略動作を示すフローチャートである。
【図５】本発明の第２実施形態に係るシャワー入浴装置の要部構成を示す図である。
【図６】本発明の第２実施形態に係るシャワー入浴装置の概略動作を示すフローチャートである。
【図７】本発明の第３実施形態に係るシャワー入浴装置の概略動作を示すフローチャートである。
【図８】本発明の第４実施形態に係るシャワー入浴装置の概略動作を示すフローチャートである。
【図９】従来のシャワー入浴装置の要部構成を示す図である。
【発明を実施するための形態】
【００２２】
本発明の実施形態について図面を参照して以下に説明する。
【００２３】
＜第１実施形態＞
図１は本発明の第１実施形態に係るシャワー入浴装置の斜視図である。本実施形態に係るシャワー入浴装置の正面には、上部から順にタッチパネル１と、カーテン２と、混合バルブ３とが設けられている。また、本実施形態に係るシャワー入浴装置の左右両側面には、上部から順に観察窓４と、サイドカーテン５と、ハンドシャワー６とが設けられている。
【００２４】
タッチパネル１は、操作部兼表示部であり、タッチ操作により湯温の設定や運転開始や運転終了の指示を行うことができるだけでなく、各種設定や運転状態などの表示も行う。
【００２５】
カーテン２は、装置正面の開口部を覆う両開きのカーテンである。カーテン２によって覆われている装置正面の開口部を介して、ストレッチャーの担架部（不図示）が本実施形態に係るシャワー入浴装置に対して出し入れされる。
【００２６】
混合バルブ３は、ハンドシャワー６から吐出される液滴状又は細線状の湯の流量及び温度を調整するためのバルブである。
【００２７】
観察窓４は、入浴者の様子を観察するための窓である。サイドカーテン５は、装置側面の開口部を覆うカーテンである。ハンドシャワー６のノズル６Ａ近傍には開閉ボタン６Ｂが設けられており、開閉ボタン６Ｂを押すことによってノズル６Ａからの湯の吐出を一時的に止めることができる。
【００２８】
図２Ａは本実施形態に係るシャワー入浴装置の上面図であり、図２Ｂは本実施形態に係るシャワー入浴装置の側面図であり、図２Ｃは本実施形態に係るシャワー入浴装置の正面図である。なお、図２Ｂ及び図２Ｃでは、装置の外観だけでなく、装置の内部構造も図示している。図２Ｂ及び図２Ｃに示すように、本実施形態に係るシャワー入浴装置は、装置の上方から下方に向かって液滴状又は細線状の湯を噴出するシャワーノズルＮ１と、シャワーノズルＮ１に湯を供給するための水平配管Ｐ１及び立ち上がり配管Ｐ２とを備えている。さらに、図２Ｂに示すように装置の下方から上方に向かって液滴状又は細線状の湯を噴出するシャワーノズルを設けてもよく、図２Ｃに示すように装置の一方側面から他方側面に向かって液滴状又は細線状の湯を噴出するシャワーノズルを設けてもよい。
【００２９】
また、本実施形態に係るシャワー入浴装置では、シャワーノズルＮ１の近傍にミストノズル（図２Ｂ及び図２Ｃにおいて不図示）を設けている。
【００３０】
図３は本実施形態に係るシャワー入浴装置の要部構成を示す図である。給湯配管Ｐ３の開放端は例えば給湯ホース（不図示）を介して給湯タンク（不図示）の給湯口に接続される。そして、給湯配管Ｐ３が第３開閉バルブを介して立ち上がり配管Ｐ２の下端に連結されている。立ち上がり配管Ｐ２が装置の上下方向に沿って立ち上がり、立ち上がり配管Ｐ２の上端から水平配管１０２が装置の水平方向に沿って延伸している。水平配管１０２にはシャワーノズルＮ１が略等間隔に設けられており、シャワーノズルＮ１の近傍にミストノズルＮ２が設けられている。ミストノズルＮ２は、水平配管Ｐ１及び立ち上がり配管Ｐ２によって供給される湯を霧状に噴射するノズルである。ミストノズルＮ２から噴射される霧状の湯各々の粒径は特に限定されないが、例えば数百μｍ程度にすればよい。
【００３１】
なお、本実施形態では、シャワーノズルＮ１とミストノズルＮ２が一対一になっているが、シャワーノズルＮ１の個数とミストノズルＮ２の個数は異なっていてもよい。また、装置の下方から上方に向かって液滴状又は細線状の湯を噴出するシャワーノズルと対になるミストノズルを設けてもよく、装置の一方側面から他方側面に向かって液滴状又は細線状の湯を噴出するシャワーノズルと対になるミストノズルを設けてもよい。
【００３２】
マイクロコンピュータ１０は計時部を内蔵している。また、マイクロコンピュータ１０はタッチパネル１１から出力される操作信号に従って、第１〜第３開閉バルブＶ１〜Ｖ３を始めとする装置の各部を制御する。さらに、マイクロコンピュータ１０は各種設定や動作状態などを表示するための表示信号をタッチパネル１１に供給する。
【００３３】
第１〜第３開閉バルブＶ１〜Ｖ３はマイクロコンピュータ１０から出力される制御信号によって開閉制御される電磁弁である。第１開閉バルブＶ１が開状態のとき、シャワーノズルＮ１と水平配管Ｐ１が連通し、第１開閉バルブＶ１が閉状態のとき、シャワーノズルＮ１と水平配管Ｐ１が非連通となる。第２開閉バルブＶ２が開状態のとき、ミストノズルＮ２と水平配管Ｐ１が連通し、第２開閉バルブＶ２が閉状態のとき、ミストノズルＮ２と水平配管Ｐ１が非連通となる。第３開閉バルブＶ３が開状態のとき、立ち上がり配管Ｐ２と給湯配管Ｐ３が連通し、第３開閉バルブＶ３が閉状態のとき、立ち上がり配管Ｐ２と給湯配管Ｐ３が非連通となる。
【００３４】
したがって、第３開閉バルブＶ３が閉状態である場合、シャワーノズルＮ１とミストノズルＮ２からの噴射が止まる。一方、給湯状態で且つ第３開閉バルブＶ３が開状態である場合、第１開閉バルブＶ１が開状態であればシャワーノズルＮ１からの噴射が起こり、第２開閉バルブＶ２が開状態であればミストノズルＮ２からの噴射が起こる。したがって、給湯状態で且つ第３開閉バルブＶ３が開状態である場合、第１開閉バルブＶ１のみを開状態にすればシャワー浴が行え、第２開閉バルブＶ２のみを開状態にすればミスト浴（サウナ浴）が行え、第１開閉バルブＶ１と第２開閉バルブＶ２の両方を開状態にすればシャワー浴とミスト浴の混合浴が行える。すなわち、入浴形態の選択肢を増やすことができる。
【００３５】
次に、本実施形態に係るシャワー入浴装置の概略動作について図４に示すフローチャートを参照して説明する。
【００３６】
タッチパネルの操作者が運転開始（運転の再開を含む。）を指示する操作をタッチパネル１１に対して行うと、図４に示すフロー動作が開始する。
【００３７】
まず、マイクロコンピュータ１０は、第１開閉バルブＶ１を閉状態とし、第２開閉バルブＶ２を開状態とする（ステップＳ１０）。次に、マイクロコンピュータ１０は、第３開閉バルブＶ３を閉状態から開状態に切り替える（ステップＳ２０）。これにより、ミストノズルＮ２からの噴射すなわちミスト浴が開始される。水平配管Ｐ１や立ち上がり配管Ｐ２に残っていた湯（水）が冷たくなっていても、霧状の水が入浴者に当たるだけであるので、入浴者はさほど冷たさを感じない。
【００３８】
それから、マイクロコンピュータ１０は、計時を開始し（ステップＳ３０）、所定の時間が経過したか否かを判定する（ステップＳ４０）。なお、所定の時間の値は、マイクロコンピュータ１０が内蔵メモリに不揮発的に記憶している。所定の時間の値は、タッチパネル操作により変更可能であることが望ましい。
【００３９】
所定の時間が経過していなければ（ステップＳ４０のＮＯ）、ステップＳ４０の判定を継続する。一方、所定の時間が経過すれば（ステップＳ４０のＹＥＳ）、マイクロコンピュータ１０は、計時を終了し（ステップＳ５０）、第１開閉バルブＶ１を閉状態から開状態に切り替え、第２開閉バルブＶ２を開状態から閉状態に切り替える（ステップＳ６０）。これにより、ミストノズルＮ２からの噴射すなわちミスト浴が終了し、シャワーノズルＮ１からの噴射すなわちシャワー浴が開始される。水平配管Ｐ１や立ち上がり配管Ｐ２に残っていた湯（水）がミスト浴に使用された後であるため、シャワーノズルＮ１から冷めていない湯が噴射される。
【００４０】
ステップＳ６０に続くステップＳ７０において、マイクロコンピュータ１０は、タッチパネル１から運転終了（運転の一時停止を含む）を指示する操作信号が送られてきたか否かを判定する。
【００４１】
運転終了を指示する操作信号が送られてきていなければ（ステップＳ７０のＮＯ）、ステップＳ７０の判定を継続する。一方、運転終了を指示する操作信号が送られてくれば（ステップＳ７０のＹＥＳ）、マイクロコンピュータ１０は、第３開閉バルブＶ３を開状態から閉状態に切り替え（ステップＳ８０）、運転を終了する。
【００４２】
なお、ステップＳ６０とステップＳ７０との間に、ミスト浴の指示が有るか否かを判定するステップやミスト浴とシャワー浴の混合浴の指示が有るか否かを判定するステップを設け、それらの判定結果に基づいて、マイクロコンピュータ１０が第１開閉バルブＶ１及び第２開閉バルブＶ２を制御してもよい。また、ステップＳ８０において、第１開閉バルブＶ１及び第２開閉バルブＶ２も閉状態にしてもよい。
【００４３】
本実施形態に係るシャワー入浴装置によると、運転開始時にはミスト浴から始まるので、入浴者が冷水シャワーを浴びるおそれがなくなる。ミスト浴ではミストの温度が低くても入浴者が受ける冷感はさほど強くない。また、水平配管Ｐ１、立ち上がり配管Ｐ２の長さや形状などに応じて所定の時間を適切設定することで、水平配管Ｐ１、立ち上がり配管Ｐ２に残って冷たくなっているおそれがある湯（水）のほぼ全てをミストの形態で噴射することができる。したがって、入浴者の不快感をより確実に防止または低減することができる。
【００４４】
＜第２実施形態＞
本発明の第２実施形態に係るシャワー入浴装置について説明する。本発明に係るシャワー入浴装置の斜視図、上面図、側面図、及び正面図は、本発明の第１実施形態に係るシャワー入浴装置と同様であるため、説明を省略する。
【００４５】
図５は本実施形態に係るシャワー入浴装置の要部構成を示す図である。本実施形態に係るシャワー入浴装置が本発明の第１実施形態に係るシャワー入浴装置と異なる点は、マイクロコンピュータ１０が温度センサ１２からの検知信号を受け取る点である。本実施形態では、温度センサ１２は水平配管Ｐ１内に配置されているが、この配置に限定されるものではない。例えば、温度センサ１２は、立ち上がり配管Ｐ２内に配置してもよく、装置下部に設置される水受け浴槽（シャワー浴やミスト浴の使用後湯（使用後水）を受ける浴槽）上に配置してよい。
【００４６】
図６は、本実施形態に係るシャワー入浴装置の概略動作を示すフローチャートである。図６に示すフローチャートは、図４に示すフローチャートからステップＳ３０〜Ｓ５０を取り除き、その代わりステップＳ２１を設けたものである。ここでは、図４に示すフローチャートからの変更点についてのみ説明する。
【００４７】
ステップＳ２０に続くステップＳ２１において、マイクロコンピュータ１０は、温度センサ１２からの検知信号に基づき、温度センサ１２の検知温度が所定の温度に達したか否かを判定する。なお、所定の温度の値は、マイクロコンピュータ１０が内蔵メモリに不揮発的に記憶している。所定の温度の値は、タッチパネル操作により変更可能であることが望ましい。
【００４８】
所定の温度に達していなければ（ステップＳ２１のＮＯ）、ステップＳ２１の判定を継続する。一方、所定の温度に達していれば（ステップＳ２１のＹＥＳ）、ステップＳ６０に移行する。
【００４９】
本実施形態に係るシャワー入浴装置によると、運転開始時にはミスト浴から始まるので、入浴者が冷水シャワーを浴びるおそれがなくなる。ミスト浴ではミストの温度が低くても入浴者が受ける冷感はさほど強くない。また、水平配管Ｐ１や立ち上がり配管Ｐ２に残っている所定の温度未満の湯（水）をミストの形態で噴射することができる。したがって、入浴者の不快感をより確実に防止または低減することができる。
【００５０】
＜第３実施形態＞
本発明の第３実施形態に係るシャワー入浴装置について説明する。本発明に係るシャワー入浴装置の斜視図、上面図、側面図、正面図、及び要部概略図は、本発明の第１実施形態に係るシャワー入浴装置と同様であるため、説明を省略する。
【００５１】
図７は、本実施形態に係るシャワー入浴装置の概略動作を示すフローチャートである。図７に示すフローチャートは、図４に示すフローチャートにステップＳ１〜Ｓ３及びＳ８１を追加したものである。ここでは、図４に示すフローチャートからの変更点についてのみ説明する。
【００５２】
まず、マイクロコンピュータ１０は、前回の運転終了から一定時間が経過しているか否かを判定する（ステップＳ１）。なお、一定時間の値は、マイクロコンピュータ１０が内蔵メモリに不揮発的に記憶している。一定時間の値は、タッチパネル操作により変更可能であることが望ましい。
【００５３】
一定時間が経過していれば（ステップＳ１のＹＥＳ）、ステップＳ１０に移行する。一方、一定時間が経過していなければ（ステップＳ１のＮＯ）、水平配管Ｐ１や立ち上がり配管Ｐ２に残っている湯が冷めていないため、マイクロコンピュータ１０は、第１開閉バルブＶ１を開状態とし、第２開閉バルブＶ２を閉状態とし（ステップＳ２）、第３開閉バルブＶ３を開状態とする（ステップＳ３）。これにより、シャワーノズルＮ１からの噴射すなわちシャワー浴が開始される。ステップＳ３の処理が終わると、ステップＳ７０に移行する。
【００５４】
本実施形態に係るシャワー入浴装置は本発明の第１実施形態に係るシャワー入浴装置と同様の効果を奏する。さらに、本実施形態に係るシャワー入浴装置によると、配管に残っている湯（水）が冷たくなっていない場合は、運転開始時のミスト浴を省略することができ、直ちにシャワー浴を開始することができる。これにより、利便性が向上する。
【００５５】
＜第４実施形態＞
本発明の第４実施形態に係るシャワー入浴装置について説明する。本発明に係るシャワー入浴装置の斜視図、上面図、側面図、正面図、及び要部概略図は、本発明の第２実施形態に係るシャワー入浴装置と同様であるため、説明を省略する。
【００５６】
図８は、本実施形態に係るシャワー入浴装置の概略動作を示すフローチャートである。図８に示すフローチャートは、図６に示すフローチャートにステップＳ４〜Ｓ６を追加したものである。ここでは、図６に示すフローチャートからの変更点についてのみ説明する。
【００５７】
まず、マイクロコンピュータ１０は、温度センサ１２の検知温度がすでに所定の温度に達しているか否かを判定する（ステップＳ４）。
【００５８】
所定の温度に達していなければ（ステップＳ４のＮＯ）、ステップＳ１０に移行する。一方、所定の温度に達していれば（ステップＳ４のＹＥＳ）、水平配管Ｐ１や立ち上がり配管Ｐ２に残っている湯が冷めていないため、マイクロコンピュータ１０は、第１開閉バルブＶ１を開状態とし、第２開閉バルブＶ２を閉状態とし（ステップＳ５）、第３開閉バルブＶ３を開状態とする（ステップＳ６）。これにより、シャワーノズルＮ１からの噴射すなわちシャワー浴が開始される。ステップＳ６の処理が終わると、ステップＳ７０に移行する。
【００５９】
本実施形態に係るシャワー入浴装置は本発明の第２実施形態に係るシャワー入浴装置と同様の効果を奏する。さらに、本実施形態に係るシャワー入浴装置によると、配管に残っている湯（水）が冷たくなっていない場合は、運転開始時のミスト浴を省略することができ、直ちにシャワー浴を開始することができる。これにより、利便性が向上する。
【００６０】
＜まとめ＞
以上、本発明の実施形態につき説明したが、本発明の範囲はこれに限定されるものではなく、発明の主旨を逸脱しない範囲で種々の変更を加えて実施することができる。例えば、上述した実施形態では、時間や温度によってミスト浴からシャワー浴への切り替えタイミングを判断したが、配管を流れる湯（水）の流量に基づいてミスト浴からシャワー浴への切り替えタイミングを判断してもよい。
【００６１】
また、シャワー浴とミスト浴の混合浴は行えなくなるが、上述した実施形態において用いた第１開閉バルブＶ１及び第２開閉バルブＶ２の代わりに三方弁を用い、当該三方弁が、シャワーノズルＮ１と水平配管Ｐ１を連通しかつミストノズルＮ２と水平配管Ｐ１を連通しない状態と、シャワーノズルＮ１と水平配管Ｐ１を連通せずかつミストノズルＮ２と水平配管Ｐ１を連通する状態とを切り替えるようにしてもよい。
【００６２】
また、上述した実施形態では、入浴者が仰臥位で入浴するシャワー入浴装置に本発明を適用したが、本発明に係るシャワー装置は、室内プール設備に併設される固定式シャワー装置などにも適用することができる。
【符号の説明】
【００６３】
１０  マイクロコンピュータ
１１  タッチパネル
１２  温度センサ
Ｎ１  シャワーノズル
Ｎ２  ミストノズル
Ｐ１  水平配管
Ｐ２  立ち上がり配管
Ｐ３  給湯配管
Ｖ１  第１開閉バルブ
Ｖ２  第２開閉バルブ
Ｖ３  第３開閉バルブ
【図１】
2015205009.tif 000003
【図２Ａ】
2015205009.tif 000004
【図２Ｂ】
2015205009.tif 000005
【図２Ｃ】
2015205009.tif 000006
【図３】
2015205009.tif 000007
【図４】
2015205009.tif 000008
【図５】
2015205009.tif 000009
【図６】
2015205009.tif 000010
【図７】
2015205009.tif 000011
【図８】
2015205009.tif 000012
【図９】
2015205009.tif 000013